(57)【特許請求の範囲】
【請求項１】
基地局の基地局識別子及び／又は前記基地局に属するセルのセル識別子に基づき、リソースマッピングにおけるサブ搬送波置換系列又はサブ搬送波置換系列のシードを確定することを含み、前記サブ搬送波置換系列又は前記サブ搬送波置換系列のシードは、周波数パーティションにおける下りリンクの分散型リソース内のサブ搬送波をインターリーブ又は置換するサブ搬送波パーミュテイションを実現するためのもので、前記サブ搬送波置換系列のシードは、前記サブ搬送波置換系列を決定又は生成するために用いられるものであること；
前記基地局はＮ個のセルを含み、前記基地局識別子は０〜Ｋ−１の正整数ＢＳIDで、前記セル識別子は０〜３Ｋ−１の正整数ＣｅｌｌIDであり、ＣｅｌｌIDとＢＳIDとの関係は式ＢＳID=ｍｏｄ(ＣｅｌｌID, Ｍ)（Ｍは３又はＫで、Ｋは０よりも大きい正整数である。）で確定されること；及び
ＣｅｌｌIDとそれに対応する補助同期系列又は補助同期系列のある搬送波集合との関係は以下の方法で確定されること；
を特徴とするサブ搬送波パーミュテイションの確定方法。
ＣｅｌｌID = Ｋ・ｎ + Ｉｄｘ；
ＣｅｌｌID = Ｋ・ｎ + ＢＳID；
ＣｅｌｌID = ３・ＢＳID+ｎ；
ＣｅｌｌID = ３・Ｉｄｘ+ｎ；
（ｎはｎ＝０，１，２で補助同期系列のある搬送波集合のインデックスであり、Ｉｄｘは値範囲が０〜Ｋ−１の補助同期系列のインデックスであり、Ｋは０よりも大きい正整数である。）
【請求項２】
１基地局が１セルを含む場合は、ＢＳID=ＣｅｌｌID=Ｉｄｘとなり、１基地局が３セルを含む場合は、ＢＳID=Ｉｄｘとなることを特徴とする請求項１に記載の方法。
【請求項３】
前記基地局識別子及び／又は前記セル識別子に基づき、リソースマッピングにおける前記サブ搬送波置換系列又は前記サブ搬送波置換系列のシードを確定することは、
前記基地局がセル０、セル１及びセル２を含み、前記セル０，１，２のセル識別子がそれぞれＣｅｌｌID0、ＣｅｌｌID1、ＣｅｌｌID2であり、かつ前記セル０，１，２がそれぞれ４つの周波数パーティション（０，１，２，３）を含む場合には、
基地局における各セルの周波数パーティション０において、前記基地局識別子により前記サブ搬送波置換系列又は前記サブ搬送波置換系列のシードを確定し、各セルにおける周波数パーティション０以外の周波数パーティションにおいて、前記セル識別子により前記サブ搬送波置換系列又は前記サブ搬送波置換系列のシードを確定し、そのうち、
セル０における周波数パーティション１，２，３において、ＣｅｌｌID0により前記サブ搬送波置換系列又は前記サブ搬送波置換系列のシードを確定し、
セル１における周波数パーティション１，２，３において、ＣｅｌｌID1により前記サブ搬送波置換系列又は前記サブ搬送波置換系列のシードを確定し、
セル２における周波数パーティション１，２，３において、ＣｅｌｌID2により前記サブ搬送波置換系列又は前記サブ搬送波置換系列のシードを確定することを特徴とする請求項１に記載の方法。
【請求項４】
前記基地局識別子及び／又は前記セル識別子に基づき、リソースマッピングにおける前記サブ搬送波置換系列又は前記サブ搬送波置換系列のシードを確定することは、
前記基地局がセル０、セル１及びセル２を含み、前記セル０，１，２のセル識別子がそれぞれＣｅｌｌID0、ＣｅｌｌID1、ＣｅｌｌID2であり、かつ前記セル０，１，２がそれぞれ４つの周波数パーティション（０，１，２，３）を含む場合には、
基地局中の各セルの周波数パーティション０において、前記基地局識別子により前記サブ搬送波置換系列又は前記サブ搬送波置換系列のシードを確定し、各セルにおける周波数パーティション０以外の周波数パーティションにおいて、前記セル識別子により前記サブ搬送波置換系列又は前記サブ搬送波置換系列のシードを確定し、そのうち、
セル０，１，２における周波数パーティション１において、ＣｅｌｌID0により前記サブ搬送波置換系列又は前記サブ搬送波置換系列のシードを確定し、
セル０，１，２における周波数パーティション２において、ＣｅｌｌID1により前記サブ搬送波置換系列又は前記サブ搬送波置換系列のシードを確定し、
セル０，１，２における周波数パーティション３において、ＣｅｌｌID2により前記サブ搬送波置換系列又は前記サブ搬送波置換系列のシードを確定することを特徴とする請求項１に記載の方法。
【請求項５】
前記基地局識別子及び／又は前記セル識別子に基づき、リソースマッピングにおける前記サブ搬送波置換系列又は前記サブ搬送波置換系列のシードを確定することは、
前記基地局がセル０、セル１及びセル２を含み、前記セル０，１，２のセル識別子がそれぞれＣｅｌｌID0、ＣｅｌｌID1、ＣｅｌｌID2であり、かつ前記セル０，１，２がそれぞれ３つの周波数パーティション（１，２，３）を含む場合には、
セル０における周波数パーティション１，２，３において、ＣｅｌｌID0により前記サブ搬送波置換系列又は前記サブ搬送波置換系列のシードを確定し、
セル１における周波数パーティション１，２，３において、ＣｅｌｌID1により前記サブ搬送波置換系列又は前記サブ搬送波置換系列のシードを確定し、
セル２における周波数パーティション１，２，３において、ＣｅｌｌID2により前記サブ搬送波置換系列又は前記サブ搬送波置換系列のシードを確定することを特徴とする請求項１に記載の方法。
【請求項６】
前記基地局識別子及び／又は前記セル識別子に基づき、リソースマッピングにおける前記サブ搬送波置換系列又は前記サブ搬送波置換系列のシードを確定することは、
前記基地局がセル０、セル１及びセル２を含み、前記セル０，１，２のセル識別子がそれぞれＣｅｌｌID0、ＣｅｌｌID1、ＣｅｌｌID2であり、かつ前記セル０，１，２がそれぞれ３つの周波数パーティション（１，２，３）を含む場合には、
セル０，１，２における周波数パーティション１において、ＣｅｌｌID0により前記サブ搬送波置換系列又は前記サブ搬送波置換系列のシードを確定し、
セル０，１，２における周波数パーティション２において、ＣｅｌｌID1により前記サブ搬送波置換系列又は前記サブ搬送波置換系列のシードを確定し、
セル０，１，２における周波数パーティション３において、ＣｅｌｌID2により前記サブ搬送波置換系列又は前記サブ搬送波置換系列のシードを確定することを特徴とする請求項１に記載の方法。
【請求項７】
前記基地局識別子及び／又は前記セル識別子に基づき、リソースマッピングにおける前記サブ搬送波置換系列又は前記サブ搬送波置換系列のシードを確定することは、
前記基地局がセル０、セル１及びセル２を含み、前記セル０，１，２のセル識別子がそれぞれＣｅｌｌID0、ＣｅｌｌID1、ＣｅｌｌID2であり、かつ各セルごとに１周波数パーティションを含む場合には、
各セルにおける周波数パーティションにおいて、前記セル識別子又は前記基地局識別子により前記サブ搬送波置換系列又は前記サブ搬送波置換系列のシードを確定することを特徴とする請求項１に記載の方法。
【請求項８】
前記基地局識別子及び／又は前記セル識別子に基づき、リソースマッピングにおける前記サブ搬送波置換系列又は前記サブ搬送波置換系列のシードを確定することは、
基地局が１つのセル０を含み、前記セル０のセル識別子がＣｅｌｌID0であり、かつ前記セル０がＬ（０よりも大きい正整数）個の周波数パーティションを含む場合には、
前記セル０中の各周波数パーティションにおいて、前記セル識別子又は前記基地局識別子における前記サブ搬送波置換系列又は前記サブ搬送波置換系列のシードを確定することを特徴とする請求項１に記載の方法。
【請求項９】
基地局の基地局識別子及び／又は前記基地局に属するセルのセル識別子に基づき、セル用のパイロット系列を示すセルパイロットモード、又は、前記セルパイロットモードを示す前記セルパイロットモードのインデックスを確定することを含むこと；
前記基地局はＮ個のセルを含み、前記基地局識別子は０〜Ｋ−１の正整数ＢＳIDで、前記セル識別子は０〜３Ｋ−１の正整数ＣｅｌｌIDであり、ＣｅｌｌIDとＢＳIDとの関係は式ＢＳID=ｍｏｄ(ＣｅｌｌID, Ｍ)（Ｍは３又はＫで、Ｋは０よりも大きい正整数である。）で確定されること；及び
ＣｅｌｌIDとそれに対応する補助同期系列又は補助同期系列のある搬送波集合との関係は以下の方法で確定されること；
を特徴とするセルパイロットモードの確定方法。
ＣｅｌｌID = Ｋ・ｎ + Ｉｄｘ；
ＣｅｌｌID = Ｋ・ｎ + ＢＳID；
ＣｅｌｌID = ３・ＢＳID+ｎ；
ＣｅｌｌID = ３・Ｉｄｘ+ｎ；
（ｎはｎ＝０，１，２で補助同期系列のある搬送波集合のインデックスであり、Ｉｄｘは値範囲が０からＫ−１の補助同期系列のインデックスであり、Ｋは０よりも大きい正整数である。）
【請求項１０】
前記セルのパイロット系列モードインデックスpと前記セルのセル識別子ＣｅｌｌIDとの関係は式ｐ=ｍｏｄ(ＣｅｌｌID, Ｍ)によって確定されることを特徴とする請求項９に記載の方法。
【発明の詳細な説明】
【技術分野】
【０００１】
本発明は、通信分野に係わり、特に、サブ搬送波パーミュテイションの確定方法及びセルパイロットモードの確定方法に関する。
【背景技術】
【０００２】
無線通信システムにおいて、基地局（Ｂａｓｅ  Ｓｔａｔｉｏｎ、ＢＳと略称する。）とは、端末へ業務接続、管理及び制御を提供する装置を指し、端末から基地局までの無線リンクである上りリンクと、基地局から端末までの無線リンクである下りリンクとによって端末との通信を行う。直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、ＯＦＤＭＡと略称する。）技術による無線通信システムでは、無線リソースのマッピングと割り当ては基地局によって行われる。ＯＦＤＭＡ技術は直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭと略称する。）技術を進化させたものであり、ユーザが異なるサブ搬送波を占用することで多重アクセスを実現する。
【０００３】
通常、ＢＳはセクター（Ｓｅｃｔｏｒ）に分けられるセル（Ｃｅｌｌ）に相当する。また、ＢＳは幾つかのセルに分けられることができ、そのとき、セルはセクターに相当する。ＯＦＤＭＡ技術による通信システムにおいて、無線リソースは時間領域シンボルと周波数領域サブ搬送波とで構成されている二次元時間・周波数リソースであり、基地局は周波数ダイバーシティ利得と周波数選択的スケジューリング利得を獲得するように、利用可能な物理的サブ搬送波を物理リソースユニット（Ｐｈｙｓｉｃａｌ  Ｒｅｓｏｕｒｃｅ  Ｕｎｉｔ、ＰＲＵと略称する。）に分け、さらに、物理リソースユニットを論理リソースユニット（Ｌｏｇｉｃａｌ  Ｒｅｓｏｕｒｃｅ  Ｕｎｉｔ、ＬＲＵと略称する。）にマッピングする。論理的リソースユニットは、論理的連続リソースユニット（Ｌｏｇｉｃａｌ  Ｃｏｎｔｉｇｕｏｕｓ  Ｒｅｓｏｕｒｃｅ  Ｕｎｉｔ、ＬＣＲＵと略称する。）と論理的分散リソースユニット（Ｌｏｇｉｃａｌ  Ｄｉｓｔｒｉｂｕｔｅｄ  Ｒｅｓｏｕｒｃｅ  Ｕｎｉｔ、ＬＤＲＵと略称する。）に分けられることによって、伝送性能を向上させる。疑義が生じない場合、ＬＣＲＵはＣＲＵと、ＬＤＲＵはＤＲＵと略称してもよい。連続リソースユニットにおけるサブ搬送波はいずれも連続したもので、分散リソースユニットにおけるサブ搬送波はまったく連続せず、或いは完全に連続したものではない。また、ネットワーク構築要求や、干渉抑制要求、業務特性等の要素に応じて、セル又はセクター内のリソースユニットは、それぞれが複数のリソースユニットを含む複数の周波数パーティション（Ｆｒｅｑｕｅｎｃｙ  Ｐａｒｔｉｔｉｏｎ、ＦＰと略称する。）に分けられる。
【０００４】
ネットワークレイアウトや、基地局間の通信、端末アクセスなどの需要に応じて、基地局、セル及びセクターは識別子（Ｉｄｅｎｔｉｔｙ、ＩＤと略称する。）が配置される。通常、端末はチャネルを制御して基地局、セル又はセクターの識別子を取得する。また、セル識別子は干渉抑制において重要な役割を果たしている。例えば、基地局はデータを端末へ送信するとともに、端末による復号のためのパイロット周波数も端末へ送信する。しかし、通常、パイロット周波数のパワーが比較的に高いため、異なったセルのパイロット周波数は相互間の干渉を避けるようにセル識別子に基づいてシフトすることによって、異なる時間・周波数リソースを占用する。例えば、システムに３種類のパイロット周波数パターンｐk,k=0,1,2がある場合は、セル識別子ＣｅｌｌIDとパイロット周波数パターンｐkが次の関係を満たす。
ｐk = ｍｏｄ(ＣｅｌｌID,３)
【０００５】
セル識別子は物理リソースを論理リソースにマッピングするプロセスにおいても重要な役割を果たしている。無線通信システムでは、無線リソースのリソースマッピングは物理リソースを論理リソースにマッピングする基本機能を発揮し、ＯＦＤＭＡ技術に基づく無線通信システムでは、物理的サブ搬送波を論理リソースユニットにマッピングする基本機能を発揮している。通常、リソースマッピングは主に、複雑さ及びランダム性の需要を満たす必要がある。具体的に言えば、リソースマッピングは、基地局によるリソースマッピング、リソーススケジューリング及びデータ送受信、並びに、端末によるリソース割り当て情報の解析及びデータ送受信の複雑さが低いことを確保するように、できるだけ簡単であることを必要とし、また、基地局間又はセル間の干渉が低いことを確保し、異なる基地局が同じロジックシリアル番号の論理リソースリソースをスケジュールしても、それぞれ対応する物理リソースが異なるように、できるだけランダム性を有することを必要とする。通常、リソースマッピングは、一定の置換系列（Ｐｅｒｍｕｔａｔｉｏｎ  Ｓｅｑｕｅｎｃｅ）により、置換プロセス、置換系列又は置換系列を生成するシードとセル識別子とを関連付けることで、基地局又はセル間の干渉を大幅に減らすことが可能になる。
【０００６】
通常、基地局、セル及びセクターの識別子はチャネルの制御によって取得される。無線通信システムでは、システム情報は主に同期チャネル（Ｓｙｃｈｒｏｎｉｚａｔｉｏｎ  Ｃｈａｎｎｅｌ、ＳＣＨと略称する。）とブロードキャスト制御チャネル（Ｂｒｏａｄｃａｓｔ  Ｃｏｎｔｒｏｌ  Ｃｈａｎｎｅｌ、ＢＣＣＨと略称する。）によって送信される。同期チャネルは主に、最初にアクセスした際の校正周波数偏移、時間偏移を端末へ提供し、かつセル識別子（Ｃｅｌｌ  Ｉｄｅｎｔｉｔｙ、Ｃｅｌｌ  ＩＤと略称する。）と共に、例えばシステム帯域幅情報の少量のシステム情報を載せる機能を有する。ブロードキャスト制御チャネルは主に、基地局が必要なシステム構成と制御情報を端末へ報知するための機能を有する。
【０００７】
なお、チャネル制御を説明する時、ＢＣＣＨをブロードキャストチャネル（Ｂｒｏａｄｃａｓｔ  Ｃｈａｎｎｅｌ、ＢＣＨと略称する。）と略称することができる。また、通常、ブロードキャスト制御チャネルは、スーパーフレームのヘッダー部又はスーパーフレームにおける第１のサブフレームに配置され、送信されるため、スーパーフレームヘッダー（Ｓｕｐｅｒｆｒａｍｅ  Ｈｅａｄｅｒ、ＳＦＨと略称する。）と称することもできる。主ブロードキャスト制御チャネルは主スーパーフレームヘッダー（Ｐｒｉｍａｒｙ  Ｓｕｐｅｒｆｒａｍｅ  Ｈｅａｄｅｒ、Ｐ−ＳＦＨと略称する。）、補助ブロードキャスト制御チャネルは補助スーパーフレームヘッダー（Ｓｅｃｏｎｄａｒｙ  Ｓｕｐｅｒｆｒａｍｅ  Ｈｅａｄｅｒ、Ｓ−ＳＦＨと略称する。）とも称される。
【０００８】
電気電子技術者協会（Ｉｎｓｔｉｔｕｔｅ  ｆｏｒ  Ｅｌｅｃｔｒｉｃａｌ  ａｎｄ  Ｅｌｅｃｔｒｏｎｉｃ  Ｅｎｇｉｎｅｅｒｓ、ＩＥＥＥと略称する。）８０２．１６ｍシステムには、セル識別子ＣｅｌｌIDの定義と使用が不正確と不明瞭である箇所がある。例えば、
ＣｅｌｌID= ２５６・ｎ + ｌｄｘ                       （２）
ｎはｎ＝０，１，２で補助同期系列の集合インデックスであり、Ｉｄｘは０から補助同期系列のインデックス集合中の系列の総数から１を差し引く数値までの正整数である。
【発明の開示】
【発明が解決しようとする課題】
【０００９】
しかし、式（２）の定義はすべての隣接するセルのパイロット周波数をずらすことを確保できない。
【００１０】
また、ＩＥＥＥ８０２．１６ｍシステムには、リソースマッピングは一般にマルチセル公的リソースマッピング（Ｍｕｌｔｉ−ｃｅｌｌ  Ｒｅｓｏｕｒｃｅ  Ｍａｐｐｉｎｇ）部分と、セル専有リソースマッピング（ｃｅｌｌ−Ｓｐｅｃｉｆｉｃ  Ｒｅｓｏｕｒｃｅ  Ｍａｐｐｉｎｇ）部分とを含む。具体的に、マルチセル公的リソースマッピングはサブバンド分割（Ｓｕｂｂａｎｄ  Ｐａｒｔｉｔｉｏｎｉｎｇ）、ミニバンド置換（Ｍｉｎｉｂａｎｄ  Ｐｅｒｍｕｔａｔｉｏｎ）、周波数分割（Ｆｒｅｑｕｅｎｃｙ  Ｐａｒｔｉｔｉｏｎｉｎｇ）のうちの一つ又は組み合わせを含み、セル専有リソースマッピングは連続リソースユニット／分散リソースユニット割り当て（Ｃｏｎｔｉｇｕｏｕｓ  Ｒｅｓｏｕｒｃｅ  Ｕｎｉｔ／Ｄｉｓｔｒｉｂｕｔｅｄ  Ｒｅｓｏｕｒｃｅ  Ｕｎｉｔ  Ａｌｌｏｃａｔｉｏｎ、ＣＲＵ／ＤＲＵ  Ａｌｌｏｃａｔｉｏｎと略称する。）、及び下りリンクに用いられるサブ搬送波パーミュテイション（Ｓｕｂｃａｒｒｉｅｒ  Ｐｅｒｍｕｔａｔｉｏｎ）又は上りリンクに用いられるタイルパーミュテイション（Ｔｉｌｅ  Ｐｅｒｍｕｔａｔｉｏｎ、即ちＴｉｌｅ置換）のうちの一つ又は組み合わせを含む。Ｓｕｂｂａｎｄは例えばＮ１（例えばＮ１＝４）個の連続したＰＲＵで構成され、Ｍｉｎｉｂａｎｄは例えばＮ２（例えばＮ２＝１）個の連続したＰＲＵで構成されている。また、セル専有リソースマッピングにおいて、各周波数パーティションに用いられる置換系列、置換系列のシード又は置換プロセスは基地局識別子及び／又はセル識別子との関係も不明瞭である。
【課題を解決するための手段】
【００１１】
本発明は、関連技術にセル識別子の定義と使用の不正確さと不明瞭さがあり、かつセル専有リソースマッピングにおいて、各周波数パーティションに用いられる置換系列、置換系列のシード又は置換プロセスと基地局識別子及び／又はセル識別子との関係も不明瞭であるという問題に鑑みてなされたもので、サブ搬送波パーミュテイションの確定方法及びセルパイロットモードの確定方法を提供して上記問題の少なくとも一つを解決することを目的とする。
【００１２】
本発明の一態様は、サブ搬送波パーミュテイションの確定方法を提供する。
本発明によるサブ搬送波パーミュテイションの確定方法は、基地局の基地局識別子及び／又は前記基地局に属するセルのセル識別子に基づき、リソースマッピングにおけるサブ搬送波置換系列又はサブ搬送波置換系列のシードを確定することを含み、前記サブ搬送波置換系列又は前記サブ搬送波置換系列のシードは、周波数パーティションにおける下りリンクの分散型リソース内のサブ搬送波をインターリーブ又は置換するサブ搬送波パーミュテイションを実現するためのもので、前記サブ搬送波置換系列のシードは、前記サブ搬送波置換系列を決定又は生成するために用いられるものであること；前記基地局はＮ個のセルを含み、前記基地局識別子は０〜Ｋ−１の正整数ＢＳIDで、前記セル識別子は０〜３Ｋ−１の正整数ＣｅｌｌIDであり、ＣｅｌｌIDとＢＳIDとの関係は式ＢＳID=ｍｏｄ(ＣｅｌｌID, Ｍ)（Ｍは３又はＫで、Ｋは０よりも大きい正整数である。）で確定されること；及びＣｅｌｌIDとそれに対応する補助同期系列又は補助同期系列のある搬送波集合との関係は以下の方法で確定されること；を特徴としている。
ＣｅｌｌID = Ｋ・ｎ + Ｉｄｘ；
ＣｅｌｌID = Ｋ・ｎ + ＢＳID；
ＣｅｌｌID = ３・ＢＳID+ｎ；
ＣｅｌｌID = ３・Ｉｄｘ+ｎ；
（ｎはｎ＝０，１，２で補助同期系列のある搬送波集合のインデックスであり、Ｉｄｘは値範囲が０〜Ｋ−１の補助同期系列のインデックスであり、Ｋは０よりも大きい正整数である。）
【００１３】
本発明のもう一つの態様は、セルパイロットモードの確定方法を提供する。
本発明によるセルパイロットモードの確定方法は、基地局の基地局識別子及び／又は前記基地局に属するセルのセル識別子に基づき、セル用のパイロット系列を示すセルパイロットモード、又は、前記セルパイロットモードを示す前記セルパイロットモードのインデックスを確定することを含むこと；前記基地局はＮ個のセルを含み、前記基地局識別子は０〜Ｋ−１の正整数ＢＳIDで、前記セル識別子は０〜３Ｋ−１の正整数ＣｅｌｌIDであり、ＣｅｌｌIDとＢＳIDとの関係は式ＢＳID=ｍｏｄ(ＣｅｌｌID, Ｍ)（Ｍは３又はＫで、Ｋは０よりも大きい正整数である。）で確定されること；及びＣｅｌｌIDとそれに対応する補助同期系列又は補助同期系列のある搬送波集合との関係は以下の方法で確定されること；を特徴としている。
ＣｅｌｌID = Ｋ・ｎ + Ｉｄｘ；
ＣｅｌｌID = Ｋ・ｎ + ＢＳID；
ＣｅｌｌID = ３・ＢＳID+ｎ；
ＣｅｌｌID = ３・Ｉｄｘ+ｎ；
（ｎはｎ＝０，１，２で補助同期系列のある搬送波集合のインデックスであり、Ｉｄｘは値範囲が０からＫ−１の補助同期系列のインデックスであり、Ｋは０よりも大きい正整数である。）
【００１４】
本発明によれば、基地局識別子及びセル識別子を設け、ＯＦＤＭＡの無線通信システムにおける異なるセル間のパイロットをオフセットさせ、リソースマッピングにおいて異なる周波数パーティションにセル識別子を用いる処理案を提供することによって、関連技術にセル識別子の定義と使用の不正確さと不明瞭さがあり、かつセル専有リソースマッピングにおいて、各周波数パーティションに用いられる置換系列、置換系列のシード又は置換プロセスと基地局識別子及び／又はセル識別子との関係も不明瞭であるという問題を解決し、異なるセルのパイロットをずらすこと及びリソースマッピングのランダム性をさらに確保し、セル間の干渉を低減した。
【図面の簡単な説明】
【００１５】
ここで説明する図面は、本発明を更に理解するためのものであり、本願の一部を構成する。本発明の例示的な実施例およびその説明は、本発明を解釈するものであるが、本発明を不当に限定するものではない。図面において、
【図１】本発明の実施例に係る無線通信システムのフレーム構造を示す概略図である。
【図２】本発明の実施例に係る無線通信システムのリソースマッピングプロセスを示す概略図である。
【図３】本発明の実施例に係る５ＭＨｚ無線通信システムにおけるリソースマッピングの基本プロセスを示す概略図である。
【図４】本発明の実施例に係る基地局構造を示す概略図である。
【図５】本発明の実施例に係る１０ＭＨｚ無線通信システムにおけるリソースマッピングの基本プロセスを示す概略図である。
【発明を実施するための形態】
【００１６】
関連技術において、セル識別子の定義と使用には不正確と不明瞭なことがあり、かつセル専有リソースマッピングにおいて、各周波数パーティションに用いられる置換系列、置換系列のシード又は置換プロセスが基地局識別子及び／又はセル識別子との関係も不明瞭であるという問題に鑑み、本発明の実施例は、サブ搬送波パーミュテイションの確定方法及びセルパイロットモードの確定方法を提供することによって、ＯＦＤＭＡによる無線通信システムにおける異なるセル間のパイロットのオフセット、及び、リソースマッピングにおける異なる周波数パーティションがセル識別子を如何に用いるかという問題を解決することで、異なるセルのパイロットをずらすこと及びリソースマッピングのランダム性を確保し、セル間の干渉を低減し、無線リソーススケジューリングの柔軟性を持たせ、周波数選択性利得と周波数ダイバーシティ利得を提供し、その結果、無線通信システムのスペクトル効率を確保できる。
【００１７】
なお、衝突が生じない場合には、本願実施例及び本願実施例における特徴が相互に組み合せられることができる。以下、図面を参照しつつ、実施例を結び付けて本発明を詳しく説明する。
【００１８】
以下の実施例において、図面のフローチャートに示されたステップは例えば、インストラクションを実行させるコンピュータで構成されるコンピュータシステムで実行されることができる。また、フローチャートにロジック順序が示されたが、示された又は記載されたステップがここの順序と異なる順序で実行されてもよい。
【００１９】
実施例１
本発明の実施例に係るサブ搬送波パーミュテイションの確定方法は、基地局の基地局識別子及び／又は基地局に属するセルのセル識別子に基づき、リソースマッピングにおけるサブ搬送波置換系列又はサブ搬送波置換系列のシードを確定することを含むが、基地局識別子及び／又はセル識別子に基づき、リソースマッピングにおけるＴｉｌｅ置換系列又はＴｉｌｅ置換系列のシードを確定することを含むと理解してもよい。つまり、実施例におけるサブ搬送波置換系列又はサブ搬送波置換系列のシードをＴｉｌｅ置換系列又はＴｉｌｅ置換系列のシードに取り替えるとともに、下りリンクシーンを上りリンクシーンに取り替えることも、ひとつの実施例である。
【００２０】
上記の方法では、サブ搬送波置換系列又はサブ搬送波置換系列のシードは周波数パーティションにおける下りリンクの分散リソース内のサブ搬送波をインターリーブ又は置換するサブ搬送波パーミュテイションを実現するためのもので、サブ搬送波置換系列のシードはサブ搬送波置換系列を決定又は生成するために用いられるものである。
【００２１】
なお、サブ搬送波置換系列又はサブ搬送波置換系列のシードは下りリンクリソースマッピングプロセスにおいて適用され、Ｔｉｌｅ置換系列又はＴｉｌｅ置換系列のシードは上りリンクリソースマッピングプロセスにおいて適用される。
【００２２】
その前、基地局の基地局識別子が設定され（即ち、各基地局に１つのロジック識別子がある）、基地局がＮ個のセルを含むことから、Ｎ個のセルのセル識別子が設定される。基地局識別子は０〜Ｋ−１の正整数ＢＳIDで、セル識別子は０〜３Ｋ−１の正整数ＣｅｌｌIDであり、ＣｅｌｌIDは補助同期系列によって伝送され、ＢＳIDとの関係が式ＢＳID=ｍｏｄ(ＣｅｌｌID, Ｍ)で確定される。そのうち、Ｍは３又はＫで、Ｋは０よりも大きい正整数である。
【００２３】
ＣｅｌｌIDとそれに対応する補助同期系列又は補助同期系列の属する搬送波集合との関係は以下の方法で確定されることが好ましい。
ＣｅｌｌID = Ｋ・ｎ + Ｉｄｘ；
ＣｅｌｌID = Ｋ・ｎ + ＢＳID；
ＣｅｌｌID = ３・ＢＳID+ｎ；
ＣｅｌｌID = ３・Ｉｄｘ+ｎ；
ｎは、ｎ＝０，１，２で補助同期系列の属する搬送波集合のインデックスであり、Ｉｄｘは範囲が０〜Ｋ−１の補助同期系列のインデックスである。Ｋは０よりも大きい正整数である。
【００２４】
１基地局が１セルを含む場合は、１のＩｄｘがＣｅｌｌIDに示される１セルに対応し、１セルがＢＳIDに示される１基地局に対応する。１基地局が３セルを含む場合は、１のＩｄｘによって生成される３のＣｅｌｌIDに示される３セルがＢＳIDによって示され、且つＢＳID=Ｉｄｘである。
【００２５】
具体的に、基地局の基地局識別子及び／又は基地局に属するセルのセル識別子に基づいてリソースマッピングにおけるサブ搬送波置換系列又はサブ搬送波置換系列のシードを確定することは、以下の４つの態様を含む。以下、当該方法の各態様について詳しく説明する。
【００２６】
態様１
基地局は、それぞれが４つの周波数パーティション（０，１，２，３）を含む３セルに分けられ、各セル中の第０の周波数パーティションにおいて、基地局識別子によりサブ搬送波置換系列又はサブ搬送波置換系列のシードが確定され、各セル中の第０の周波数パーティション以外の周波数パーティションにおいて、それぞれのセル識別子によりサブ搬送波置換系列又はサブ搬送波置換系列のシードが確定される。次の２種類の方法が含まれる。
【００２７】
３つのセル識別子ＣｅｌｌID0、ＣｅｌｌID1、ＣｅｌｌID2はそれぞれセル０，１，２を示し、
セル０における周波数パーティション１，２，３には、ＣｅｌｌID0によりサブ搬送波置換系列又はサブ搬送波置換系列のシードが確定され、
セル１における周波数パーティション１，２，３には、ＣｅｌｌID1によりサブ搬送波置換系列又はサブ搬送波置換系列のシードが確定され、
セル２における周波数パーティション１，２，３には、ＣｅｌｌID2によりサブ搬送波置換系列又はサブ搬送波置換系列のシードが確定され、
又は、
セル０，１，２における周波数パーティション１には、ＣｅｌｌID0によりサブ搬送波置換系列又はサブ搬送波置換系列のシードが確定され、
セル０，１，２における周波数パーティション２には、ＣｅｌｌID1によりサブ搬送波置換系列又はサブ搬送波置換系列のシードが確定され、
セル０，１，２における周波数パーティション３には、ＣｅｌｌID2によりサブ搬送波置換系列又はサブ搬送波置換系列のシードが確定される。
【００２８】
態様２
基地局は、それぞれが３つの周波数パーティションを含む３セルに分けられ、セル毎の各周波数パーティションにおいて、それぞれのセル識別子によりサブ搬送波置換系列又はサブ搬送波置換系列のシードが確定される。
【００２９】
３つのセル識別子ＣｅｌｌID0、ＣｅｌｌID1、ＣｅｌｌID2はそれぞれセル０，１，２を示し、
セル０における周波数パーティション１，２，３には、ＣｅｌｌID0によりサブ搬送波置換系列又はサブ搬送波置換系列のシードが確定され、
セル１における周波数パーティション１，２，３には、ＣｅｌｌID1によりサブ搬送波置換系列又はサブ搬送波置換系列のシードが確定され、
セル２中の周波数パーティション１，２，３において、ＣｅｌｌID2によりサブ搬送波置換系列又はサブ搬送波置換系列のシードが確定され、
又は、
セル０，１，２中の周波数パーティション１において、ＣｅｌｌID0によりサブ搬送波置換系列又はサブ搬送波置換系列のシードが確定され、
セル０，１，２中の周波数パーティション２において、ＣｅｌｌID1によりサブ搬送波置換系列又はサブ搬送波置換系列のシードが確定され、
セル０，１，２中の周波数パーティション３において、ＣｅｌｌID2によりサブ搬送波置換系列又はサブ搬送波置換系列のシードが確定される。
【００３０】
態様３
基地局は３つのセル、即ちセル０，１，２を含み、セル０のセル識別子は、ＣｅｌｌID0で、セル１のセル識別子はＣｅｌｌID1で、セル２のセル識別子はＣｅｌｌID2である。各セルに１の周波数パーティションが含まれ、各セルにおける周波数パーティションにおいて、それぞれのセル識別子によりサブ搬送波置換系列又はサブ搬送波置換系列のシードが確定される。
【００３１】
態様４
基地局は１つのセル、即ちセル０を含み、セル０は、セル識別子がＣｅｌｌID0であり、Ｌ（０よりも大きい正整数）個の周波数パーティションを含む場合には、セル０における各周波数パーティションにおいて、セル識別子又は基地局識別子によりサブ搬送波置換系列又はサブ搬送波置換系列のシードが確定される。
【００３２】
以下、本発明の実施例の実現プロセスについて、実例を結びつけて詳しく説明する。
ＯＦＤＭＡ技術による無線通信システムでは、リソースマッピングは主に該無線通信システムのフレーム構造とリソース構造に依存する。フレーム構造は、無線リソースを時間領域上でレベルの異なる単位に分けることで、柔軟性のあるスケジューリング機会を提供し、例えば無線リソースをスーパーフレームや、フレーム、サブフレーム、符号に分けてスケジューリングを行い、無線通信システムのサービス品質、特にシステムにおける伝送の時遅延の要求を満たす。
【００３３】
図１は本発明の実施例に係る無線通信システムのフレーム構造を示す概略図である。図１に示すように、無線リソースは時間領域上でスーパーフレームに分けられ、スーパーフレームごとに４つのフレームが含まれ、フレームごとに８つのサブフレームが含まれ、サブフレームが６つの基本的なＯＦＤＭ符号で構成されている。通信システムは、実際に支持する必要のあるシステム帯域幅や、周期プレフィックスの長さ、アップリンク・ダウンリンク変換間隔などの要素に基づいて、フレーム構造における各レベル単位に具体的に含まれるＯＦＤＭ符号の数を決定する。リソース構造は支持する必要のあるカバー範囲や、カバー率、システム容量、伝送レートなどの要素に基づいて、無線リソースを時間領域上で複数の周波数パーティションに分け、さらに周波数パーティション内の周波数リソースを連続リソースユニット及び/又は分散リソースユニットにマッピングする。
【００３４】
図２は本発明の実施例に係る無線通信システムのリソースマッピングプロセスを示す概略図である。図２に示すように、１サブフレームの利用可能な物理的サブ搬送波は３つの周波数パーティションに分けられ、各周波数パーティションには、スケジューリングの柔軟性を図るように集中型リソースと分散型リソースに分けられる。リソース構造は、支持する必要のあるカバー範囲や、端末のスピート、レート、業務種類などの要素に基づいて、利用可能な周波数帯域を周波数領域上で複数の周波数パーティションに分け、さらに周波数パーティション内の周波数リソースを集中型リソース領域及び/又は分散型リソース領域に分けてスケジューリングを行う。
【００３５】
図３は本発明の実施例に係る５ＭＨｚ無線通信システムにおけるリソースマッピングの基本プロセスを示す概略図である。図３に示すように、５ＭＨｚでのＯＦＤＭＡシステムのリソースマッピングの基本プロセスにおいて、５ＭＨｚシステムの高速フーリエ変換アルゴリズム法（Ｆａｓｔ  Ｆｏｕｒｉｅｒ  Ｔｒａｎｓｆｏｒｍ  Ａｌｇｏｒｉｔｈｍ  ｍｅｔｈｏｄ，ＦＦＴと略称する）の点数は５１２であり、各サブフレームには、４３２個の利用可能サブ搬送波があり、合計２４個の物理リソースユニットに分けられ、それぞれ１８×６個符号の大きさを有する。まず、２４個の物理リソースユニットを、それぞれ連続したＮ１個の物理リソースユニットを含む複数のサブバンド（Ｓｕｂｂａｎｄ）に分け、例えば、Ｎ１＝４の場合に、６個のサブバンドがある。Ｓｕｂｂａｎｄを置換し、或いはＳｕｂｂａｎｄからＫSB個のＳｕｂｂａｎｄを等間隔で抽出し、例えば、ＫSB＝３の場合に、行列置換を用い、置換マトリックスを［０，１；２，３；４，５］とすると、置換前の順序は［０，１，２，３，４，５］で、置換後の順序は［０，２，４，１，３，５］であり、そして３個のＳｕｂｂａｎｄ、即ち０，２，４を保留する。残した物理リソースユニットを複数のミニバンド（Ｍｉｎｉｂａｎｄ）に分け、１Ｓｕｂｂａｎｄごとに連続したＮ２個の物理リソースユニットを含ませ、例えば、Ｎ２＝１の場合に、１２個のＭｉｎｉｂａｎｄがあり、Ｍｉｎｉｂａｎｄに対して置換動作をし、得られたＳｕｂｂａｎｄとＭｉｎｉｂａｎｄを３つの周波数パーティション（例えば、周波数パーティション１，２，３）にマッピングする。上記の動作はマルチセルリソースマッピングに属する。後続の動作はセル専有リソースマッピングに属し、周波数パーティションごとに、周波数パーティション内の物理リソースユニットのすべてから一部を抽出し、或いは全部連続リソースユニットに直接にマッピングし、残した物理リソースユニットをサブ搬送波パーミュテイションによって分散リソースユニットにマッピングする。図３に示すように、周波数パーティション１における前の４つの物理リソースユニット（０，１，２，３）は連続リソースユニットに直接にマッピングされ、残した４つの物理リソースユニット（４，７，１４，２１）はサブ搬送波パーミュテイションによって分散リソースユニットにマッピングされる。
【００３６】
図４は本発明の実施例に係る基地局構造を示す概略図である。図４に示すように、基地局は３つのセルに分けられ、各セルに３つの周波数パーティションが含まれ、各セルの各周波数パーティションにおいて、それぞれのセル識別子によりサブ搬送波置換プロセス又は系列が確定される。基地局識別子はＢＳIDで、３つのセル識別子ＣｅｌｌID0、ＣｅｌｌID1、ＣｅｌｌID2はそれぞれセル０，１，２を示し、
セル０における周波数パーティション１，２，３において、ＣｅｌｌID0によりサブ搬送波置換系列又はサブ搬送波置換系列のシード及び/又はＴｉｌｅ置換系列又はＴｉｌｅ置換系列のシードが確定され、
セル１における周波数パーティション１，２，３において、ＣｅｌｌID1によりサブ搬送波置換系列又はサブ搬送波置換系列のシード及び/又はＴｉｌｅ置換系列又はＴｉｌｅ置換系列のシードが確定され、
セル２における周波数パーティション１，２，３において、ＣｅｌｌID2からサブ搬送波置換系列又はサブ搬送波置換系列のシード及び/又はＴｉｌｅ置換系列又はＴｉｌｅ置換系列のシードが確定される。
【００３７】
例えば、周波数パーティション０（又は１，２）の場合に、ＬＲＵが８つあり、ＤＲＵが４つあるとする。各ＬＲＵは周波数領域上で１８個のサブ搬送波を有し、時間領域上で６つの時間領域シンボルを有する。ＬSC,lは１ＰＲＵ中の第ｌ個のＯＦＤＭＡ符号上のデータサブ搬送波の数を示し、この数はＰＲＵ上の周波数領域サブ搬送波の数から各符号上のパイロットキャリアの数ｎl（本例ではｎl＝２）を引いた数に等しいはずである。本例では、ＬSC,l＝１８−２＝１６とする。ＬSC,lは１ＰＲＵ中の第ｌ個のＯＦＤＭＡ符号上のデータサブ搬送波ペアの数を示し、この数はＬSC,l／２に等しいはずで、１置換系列PermSeq()をサブ搬送波パーミュテイションの実行に用いる。
【００３８】
サブフレームにおける第ｌ個のＯＦＤＭＡ符号について、まず、ＤＲＵごとにｎl（本例ではｎl＝２）個のパイロットを割り当て、第ｌ個のＯＦＤＭＡ符号中のＤＲＵFP,i[ｊ]データサブ搬送波を
0005580893.tif 000002
と表記し、ここで、ＬDRU,FPiは周波数パーティションＦＰｉにおけるＤＲＵの個数を示し、本例ではＬDRU,FPi＝４とする。
【００３９】
０，１，２，Ｌ，ＬDRU,FPi・ＬSC,l−１のようにＬDRU,FPi・ＬSC,l個のデータ搬送波に番号を付け直し、番号が付け直された搬送波を、０，１，２，Ｌ，ＬDRU,FPi・ＬSP,l−１のようにＬDRU,FPi・ＬSP,l個の搬送波ペアに分け、第ｌ個のＯＦＤＭＡ符号において番号が付け直された搬送波ペアを
0005580893.tif 000003
と表記し、
ここでは、
0005580893.tif 000004
とする。
【００４０】
サブ搬送波パーミュテイション式である
0005580893.tif 000005
を用い、ＲＳＰFPi,lを第ｓ個の分散型ＬＲＵにマッピングし、上記の式において、
0005580893.tif 000006
とし、
0005580893.tif 000007
は第ｔ個のサブフレームにおける第ｉ個の周波数パーティションの第ｓ個の分散型ＬＲＵ上の第１個の符号上の第ｍ個のサブ搬送波ペアを示し、ここでは、０≦ｍ≦ＬSP,l−１、０≦ｌ≦Ｎsym−１、０≦ｓ≦ＬDRU,FPi−１とし、PermSeq()は長さがＬDRU,FPiの置換系列で、Ｓｅｅｄ=[ＣｅｌｌID0*１３６７]ｍｏｄ ２10によって確定される。１３６７と２10が互いに素であることから、異なったＣｅｌｌID（０≦ＣｅｌｌID≦１０２３を満たすだけでよい）は異なったＳｅｅｄに対応するにちがいない。ｇ(PermSeq(),s,m,l,t)はその値が[０,ＬDRU,FPi−１]に設定される関数で、
0005580893.tif 000008
とする。ここで、DL_PermBaseは整数で、f(m,s)=｛ｍ＋13・s｝modＬSP,lとする。ＣｅｌｌIDに依存するＰｅｒｍｓｅｑの生成アルゴリズムは以下のとおりである。
【００４１】
長さＭのＰｅｒｍｓｅｑの生成アルゴリズム
（１）初期化プロセス
まず、１０ビットのＳｅｅｄで
0005580893.tif 000009
を初期化し、
最大反復回数カウンターをＮ＝４に初期化し、
長さがＭのアレイＡを初期化し、Ａ[０]=０, Ａ[１]=１,……, Ａ[Ｍ-１]= Ｍ-１と表記し、
カウンターｉをＭ-１に初期化し、
ｘをｘ =−１に初期化する。
（２）ｉ>０の場合は、以下のプロセスを繰り返す。
ａ）カウンターｊを０に初期化し、
ｂ）次のようにサイクルを繰り返し、
ｃ）ｘ=ｘ+１,ｊ=ｊ+１
ｄ）ｙ = (ｄ１*ｘ + ｄ２) ｍｏｄ １０３１ ｍｏｄ Ｍ
ｅ）ｙがｉ以上で、且つｊ<Ｎである場合に、上記２）のステップａ）とｂ）を繰り返し、
ｆ）ｙがｉ以上の場合に、y ＝ y mod iにし、
ｇ）アレイＡにおける第ｉ個と第ｊ個の元素を交換し、
ｈ）ｉ= ｉ−１
（３）ＰｅｒｍＳｅｑ (ｉ) = Ａ(ｉ), ０<=ｉ<Ｍ
【００４２】
本例では、Ｍ=４にし、且つシードＳｅｅｄをＳｅｅｄ=[ＣｅｌｌID0*１３６７]ｍｏｄ ２10にするだけで、対応する置換系列を生成することができる。例えば、ＣｅｌｌID0＝０の場合は、置換系列が[２３１０]で、ＣｅｌｌID1＝１の場合は、置換系列が[３０１２]で、ＣｅｌｌID2＝２の場合は、置換系列が[１，３，０，２]である。
【００４３】
さらに、例えば、ある周波数パーティション（セル１とし）中のＬDRU,FPiがＬDRU,FPi＝１２で、且つＣｅｌｌID1＝５１１であれば、置換系列が[２,４,１,０,５,６,７,８,１１,１０,３,９]となり、セル０中のＬDRU,FPiがＬDRU,FPi＝１２で、且つＣｅｌｌID0＝５１０であれば、置換系列が[１,２,５,４,７,８,１０,１１,３,０,９,６]となり、セル２中のＬDRU,FPiがＬDRU,FPi＝１２で、且つＣｅｌｌID2＝５１２であれば、置換系列が[９,７,８,１０,１１,２,４,６,１,３,５,０]となる。
【００４４】
或いは、
セル０，１，２における周波数パーティション１において、ＣｅｌｌID0によりサブ搬送波置換系列又はサブ搬送波置換系列のシード及び/又はＴｉｌｅ置換系列又はＴｉｌｅ置換系列のシードが確定され、
セル０，１，２における周波数パーティション２において、ＣｅｌｌID1によりサブ搬送波置換系列又はサブ搬送波置換系列のシード及び/又はＴｉｌｅ置換系列又はＴｉｌｅ置換系列のシードが確定され、
セル０，１，２における周波数パーティション３において、ＣｅｌｌID2によりサブ搬送波置換系列又はサブ搬送波置換系列のシード及び/又はＴｉｌｅ置換系列又はＴｉｌｅ置換系列のシードが確定され、
その中のサブ搬送波マッピングとＰｅｒｍＳｅｑの生成方法について、パラメーターが変更可能である点を除き、上記と同一である。
【００４５】
図５は本発明の実施例に係る１０ＭＨｚ無線通信システムにおけるリソースマッピングの基本プロセスを示す概略図である。図５に示すように、本発明による１０ＭＨｚ（７ＭＨｚも、８．７５ＭＨｚも含む）無線通信システムにおけるリソースマッピングの基本プロセスが記載されている。中には、Ｓｕｂｂａｎｄが６つあり、周波数パーティションが４つあり、各周波数パーティションは１２個のＰＲＵの大きさであり、第１の周波数パーティションは８個のＣＲＵと４個のＤＲＵを含み、その他の周波数パーティションはいずれも４個のＣＲＵと８個のＤＲＵを含む。
【００４６】
基地局は、それぞれが４つの周波数パーティション（０，１，２，３）を含む３セルに分けられ、各セルにおける第０の周波数パーティションにおいて、基地局識別子によりサブ搬送波置換又はＴｉｌｅ置換の系列が確定され、各セルにおける第０の周波数パーティション以外の周波数パーティションにおいて、それぞれのセル識別子によりサブ搬送波置換プロセス又は系列が確定される。次の２種類の方法が含まれる。
【００４７】
３つのセル識別子ＣｅｌｌID0、ＣｅｌｌID1、ＣｅｌｌID2はそれぞれセル０，１，２を示し、
セル０における周波数パーティション１，２，３において、ＣｅｌｌID0によりサブ搬送波置換系列又はサブ搬送波置換系列のシード及び/又はＴｉｌｅ置換系列又はＴｉｌｅ置換系列のシードが確定され、
セル１における周波数パーティション１，２，３において、ＣｅｌｌID1によりサブ搬送波置換系列又はサブ搬送波置換系列のシード及び/又はＴｉｌｅ置換系列又はＴｉｌｅ置換系列のシードが確定され、
セル２における周波数パーティション１，２，３において、ＣｅｌｌID2によりサブ搬送波置換系列又はサブ搬送波置換系列のシード及び/又はＴｉｌｅ置換系列又はＴｉｌｅ置換系列のシードが確定され、
その中のサブ搬送波マッピングとＰｅｒｍＳｅｑの生成方法について、パラメーターが変更可能である点を除き、上記と同一である。
【００４８】
或いは、
セル０，１，２における周波数パーティション１において、ＣｅｌｌID0によりサブ搬送波置換系列又はサブ搬送波置換系列のシード及び/又はＴｉｌｅ置換系列又はＴｉｌｅ置換系列のシードが確定され、
セル０，１，２における周波数パーティション２において、ＣｅｌｌID1によりサブ搬送波置換系列又はサブ搬送波置換系列のシード及び/又はＴｉｌｅ置換系列又はＴｉｌｅ置換系列のシードが確定され、
セル０，１，２における周波数パーティション３において、ＣｅｌｌID2によりサブ搬送波置換系列又はサブ搬送波置換系列のシード及び/又はＴｉｌｅ置換系列又はＴｉｌｅ置換系列のシードが確定され、
その中のサブ搬送波マッピングとＰｅｒｍＳｅｑの生成方法について、パラメーターが変更可能である点を除き、上記と同一である。
【００４９】
実施例２
本発明の実施例によると、セルパイロットモードの確定方法を提供する。当該方法は、基地局の基地局識別子及び／又は基地局に属するセルのセル識別子に基づき、セル用のパイロット系列を示すセルパイロットモード、又は、セルパイロットモードを示すセルパイロットモードのインデックスを確定することを含む。
【００５０】
その前、上記方法はさらに、以下の動作を含む。Ｎ個のセルを含む基地局の上記基地局識別子を設定し、Ｎ個のセルの上記セル識別子を設定し、上記基地局識別子は０〜Ｋ−１の正整数ＢＳIDで、上記セル識別子は０〜３Ｋ−１の正整数ＣｅｌｌIDであり、ＣｅｌｌIDとＢＳIDとの関係は式ＢＳID=ｍｏｄ(ＣｅｌｌID, Ｍ)で確定される。式ＢＳID=ｍｏｄ(ＣｅｌｌID, Ｍ)のうち、Ｍは３又はＫで、Ｋは０よりも大きい正整数である。
【００５１】
ＣｅｌｌIDと対応する補助同期系列又は補助同期系列のある搬送波集合との関係は以下の方法で確定されることが好ましい。
ＣｅｌｌID = Ｋ・ｎ + Ｉｄｘ；
ＣｅｌｌID = Ｋ・ｎ + ＢＳID；
ＣｅｌｌID = ３・ＢＳID+ｎ；
ＣｅｌｌID = ３・Ｉｄｘ+ｎ；
ｎはｎ＝０，１，２で補助同期系列のある搬送波集合のインデックスであり、Ｉｄｘは値範囲が０〜Ｋ−１の補助同期系列のインデックスである。Ｋは０よりも大きい正整数である。
【００５２】
上記セルのパイロット系列モードインデックスｐと上記セルのセル識別子ＣｅｌｌIDとの関係は式ｐ=ｍｏｄ(ＣｅｌｌID, Ｍ)によって確定されることが好ましい。
【００５３】
以下、基地局の基地局識別子及び／又は基地局に属するセルのセル識別子に基づき、セルパイロットモード、又は、セルパイロットモードのインデックスを確定することについて、具体的な実例を結び付けて詳しく説明する。
【００５４】
本実施例においては、Ｋの値を２５６とし、基地局の基地局識別子ＢＳIDを０に設定し、基地局はセル識別子がそれぞれＣｅｌｌID0=０，ＣｅｌｌID1=１，ＣｅｌｌID2=２である３つのセルを含み、ＣｅｌｌIDとＢＳIDとの関係は式ＢＳID=ｍｏｄ(ＣｅｌｌID, ３)で確定され、即ちＭ=３。ＣｅｌｌIDと対応する補助同期系列又は補助同期系列のある搬送波集合との関係はＣｅｌｌID = ３・ＢＳID+ｎ（ｎ＝０，１，２）によって確定される。セルのパイロット系列モードインデックスｐとセルのセル識別子ＣｅｌｌIDとの関係は式ｐ=ｍｏｄ(ＣｅｌｌID, ３)によって確定され、即ち、セル０のパイロット系列モードインデックスｐ0はｐ0=ｍｏｄ(ＣｅｌｌID0, ３)で、セル１のパイロット系列モードインデックスｐ1はｐ1=ｍｏｄ(ＣｅｌｌID1, ３)で、セル２のパイロット系列モードインデックスｐ2はｐ2=ｍｏｄ(ＣｅｌｌID2, ３)である。
【００５５】
或いは、Ｋの値を２５６とし、基地局の基地局識別子ＢＳIDを１に設定し、基地局はセル識別子がそれぞれＣｅｌｌID0=０，ＣｅｌｌID1=２５７，ＣｅｌｌID2=５１３である３つのセルを含み、ＣｅｌｌIDとＢＳIDとの関係は式ＢＳID=ｍｏｄ(ＣｅｌｌID, ２５６)で確定され、即ちＭ=Ｋ=２５６。ＣｅｌｌIDと対応する補助同期系列又は補助同期系列のある搬送波集合との関係はＣｅｌｌID =Ｋ・ｎ + ＢＳID（ｎ＝０，１，２）によって確定される。セルのパイロット系列モードインデックスｐとセルのセル識別子ＣｅｌｌIDとの関係は式ｐ=ｍｏｄ(ＣｅｌｌID, ２５６)によって確定され、即ち、セル０のパイロット系列モードインデックスｐ0はｐ0=ｍｏｄ(ＣｅｌｌID0, ２５６)で、セル１のパイロット系列モードインデックスｐ1はｐ1=ｍｏｄ(ＣｅｌｌID1, ２５６)で、セル２のパイロット系列モードインデックスｐ2はｐ2=ｍｏｄ(ＣｅｌｌID2, ２５６)であり、このとき、Ｍ=Ｋ=２５６。
【００５６】
以上、本発明の実施例は、サブ搬送波パーミュテイションの確定方法及びセルパイロットモードの確定方法を提供することによって、ＯＦＤＭＡによる無線通信システムにおける異なるセル間のパイロットのオフセット、及び、リソースマッピングにおいて異なる周波数パーティションが、セル識別子を如何に用いるかという問題を解決することで、異なるセルのパイロットをずらすこと及びリソースマッピングのランダム性を確保し、セル間の干渉を低減し、無線リソーススケジューリングの融通性を満たし、周波数選択性利得と周波数ダイバーシティ利得を提供し、その結果、無線通信システムのスペクトル効率を確保する。
【００５７】
勿論、上述した本発明の各モジュールまたはステップは、汎用のコンピュータ装置により実現することができ、単一のコンピュータ装置に集成してもよいし、複数のコンピュータ装置からなるネットワークに配置してもよい。また、コンピュータ装置が実行可能なプログラムコードにより実現されてもよい。これにより、記憶装置に記憶されてコンピュータ装置により実行されることができる。或いは、それぞれ各々の集積回路モジュールに作成したり、それらの中の複数のモジュールまたはステップを単一の集積回路モジュールに作成したりして実現することができる。このように、本発明は、いずれの特定のハードウェアとソフトウェアの組み合わせにも限定されない。
【００５８】
以上は、本発明の好適な実施例に過ぎず、本発明を限定するものではない。当業者であれば、本発明の様々な変更や変形が可能である。本発明の精神や原則を逸脱しないいずれの変更、置換、改良なども本発明の保護範囲内に含まれる。
【図１】
0005580893.tif 000010
【図２】
0005580893.tif 000011
【図３】
0005580893.tif 000012
【図４】
0005580893.tif 000013
【図５】
0005580893.tif 000014